【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
信号を増幅する電力増幅器であって、
前記電力増幅器の複数の増幅段を有し、
増幅段は前記電力増幅器により受信された前記信号を処理し、増幅段はトランジスターを有し、少なくとも１つの増幅段は次の段に励起を供給する駆動段を有し前記信号を増幅し、
前記複数の増幅段は、
第１の出力電力と関連付けられ、第１のトランジスターを有する第１の増幅段、及び
第２の出力電力と関連付けられ、第２のトランジスターを有し、圧縮条件下で動作可能な第２の増幅段、を有し、
前記電力増幅器は、前記第１の増幅段と前記第２の増幅段を結合する電流共有結合、を更に有し、
前記第１の増幅段及び前記第２の増幅段は前記電流共有結合を通じ電流を共有し、前記電流共有結合は前記第１の出力電力及び前記第２の出力電力のスケーリングを助ける、電力増幅器。
【請求項２】
前記第１のトランジスター及び前記第２のトランジスターに電圧を印加し、前記第１の出力電力及び前記第２の出力電力のスケーリングを助ける電圧源、を更に有する請求項１記載の電力増幅器。
【請求項３】
前記第１のトランジスターは第１の大きさを有し、及び
前記第２のトランジスターは第２の大きさを有し、前記第１の大きさ及び前記第２の大きさは前記第１の出力電力及び前記第２の出力電力のスケーリングを助けるために選択される、請求項１記載の電力増幅器。
【請求項４】
前記第１の増幅段は第１の抵抗値を有し、及び
前記第２の増幅段は第２の抵抗値を有する第２の負荷目標を有し、
前記第１の抵抗値及び前記第２の抵抗値は前記第１の出力電力及び前記第２の出力電力のスケーリングを助けるために選択される、請求項１記載の電力増幅器。
【請求項５】
信号を増幅する方法であって、
電力増幅器の複数の増幅段で前記信号を受信する段階、を有し、
増幅段は前記信号を処理し、増幅段はトランジスターを有し、少なくとも１つの増幅段は次の段に励起を供給する駆動段を有し前記信号を増幅し、
前記複数の増幅段は、
第１の出力電力と関連付けられ、第１のトランジスターを有する第１の増幅段、及び
第２の出力電力と関連付けられ、第２のトランジスターを有し、圧縮条件下で動作可能な第２の増幅段、を有し、
前記方法は、
前記第１の増幅段と前記第２の増幅段を電流共有結合で結合する段階、及び
前記電流共有結合を通じて前記第１の増幅段及び前記第２の増幅段の間で電流を共有する段階、を更に有し、
前記電流共有結合は前記第１の出力電力及び前記第２の出力電力のスケーリングを助ける、方法。
【請求項６】
前記第１のトランジスター及び第２のトランジスターに電圧を印加し、前記第１の出力電力及び前記第２の出力電力のスケーリングを助ける段階、を更に有する請求項５記載の方法。
【請求項７】
前記第１のトランジスターは第１の大きさを有し、及び
前記第２のトランジスターは第２の大きさを有し、前記第１の大きさ及び前記第２の大きさは前記第１の出力電力及び前記第２の出力電力のスケーリングを助けるために選択される、請求項５記載の方法。
【請求項８】
前記第１の増幅段は第１の抵抗値を有し、及び
前記第２の増幅段は第２の抵抗値を有する第２の負荷目標を有し、前記第１の抵抗値及び前記第２の抵抗値は前記第１の出力電力及び前記第２の出力電力のスケーリングを助けるために選択される、請求項５記載の方法。
【請求項９】
信号を増幅する電力増幅器であって、
前記電力増幅器の複数の増幅段を有し、
増幅段は前記電力増幅器により受信された前記信号を処理し、増幅段はトランジスターを有し、少なくとも１つの増幅段は次の段に励起を供給する駆動段を有し前記信号を増幅し、
前記複数の増幅段は、
第１の出力電力と関連付けられ、第１のトランジスターを有する第１の増幅段、
第２の出力電力と関連付けられ、第２のトランジスターを有し、圧縮状態で動作可能な第２の増幅段、及び
第３の出力電力と関連付けられ、第３のトランジスターを有する第３の増幅段、を有し、
前記電力増幅器は、前記第１の増幅段と前記第２の増幅段を結合する電流共有結合、を有し、
前記第１の増幅段及び前記第２の増幅段は前記電流共有結合を通じ電流を共有し、前記電流共有結合は前記第１の出力電力及び前記第２の出力電力のスケーリングを助ける、電力増幅器。
【請求項１０】
前記第１のトランジスター及び前記第２のトランジスターに電圧を印加し、前記第１の出力電力及び前記第２の出力電力のスケーリングを助ける電圧源、を更に有する請求項９記載の電力増幅器。
【請求項１１】
前記第１のトランジスターは第１の大きさを有し、及び
前記第２のトランジスターは第２の大きさを有し、前記第１の大きさ及び前記第２の大きさは前記第１の出力電力及び前記第２の出力電力のスケーリングを助けるために選択される、請求項９記載の電力増幅器。
【請求項１２】
前記第１の増幅段は第１の抵抗値を有し、及び
前記第２の増幅段は第２の抵抗値を有する第２の負荷目標を有し、前記第１の抵抗値及び前記第２の抵抗値は前記第１の出力電力及び前記第２の出力電力のスケーリングを助けるために選択される、請求項９記載の電力増幅器。
【請求項１３】
信号を増幅するシステムであって、
電力増幅器の複数の増幅段で前記信号を受信する手段、を有し、
増幅段は前記信号を処理し、増幅段はトランジスターを有し、少なくとも１つの増幅段は次の段に励起を供給する駆動段を有し前記信号を増幅し、
前記複数の増幅段は、
第１の出力電力と関連付けられ、第１のトランジスターを有する第１の増幅段、及び
第２の出力電力と関連付けられ、第２のトランジスターを有し、圧縮条件下で動作可能な第２の増幅段、を有し、
前記システムは、
第１の増幅段と第２の増幅段を電流共有結合で結合する手段、及び
前記電流共有結合を通じて前記第１の増幅段及び前記第２の増幅段の間で電流を共有する手段、を更に有し、
前記電流共有結合は前記第１の出力電力及び前記第２の出力電力のスケーリングを助ける、システム。
【請求項１４】
信号を増幅する電力増幅器であって、
電力増幅器の複数の増幅段を有し、
前記増幅段は前記電力増幅器により受信された信号を処理し、増幅段はトランジスターを有し、少なくとも１つの増幅段は次の段に励起を供給する駆動段を有し前記信号を増幅し、
前記複数の増幅段は、
第１の大きさを有する第１のトランジスターを有し、第１の出力電力と関連付けられ、第１の抵抗値を有する第１の負荷目標を有する第１の増幅段、及び
第２の大きさを有する第２のトランジスターを有する第２の増幅段を有し、
前記第１の大きさ及び前記第２の大きさは前記第１の出力電力及び前記第２の出力電力のスケーリングを助けるよう選択され、
前記第２の増幅段は第２の抵抗値を有する第２の負荷目標を有し、
前記第１の抵抗値及び前記第２の抵抗値は前記第１の出力電力及び前記第２の出力電力のスケーリングを助けるよう選択され、
前記第２の増幅段は圧縮条件下で動作し、
前記電力増幅器は、
第１の増幅段及び第２の増幅段を結合する電流共有結合、及び
前記第１のトランジスター及び前記第２のトランジスターに電圧を印加し、第１の出力電力及び第２の出力電力のスケーリングを助ける電圧源、を更に有し、
前記第１の増幅段及び前記第２の増幅段は前記電流共有結合を通じて電流を共有し、前記電流共有結合は前記第１の出力電力及び前記第２の出力電力のスケーリングを助ける、電力増幅器。